(57)【要約】      （修正有）【課題】扉開閉検知用のリードスイッチと磁石を有する冷蔵庫の外観意匠の向上を図る。【解決手段】冷蔵庫本体１４は、製氷室扉１６と前記扉の開閉を検知するためのリードスイッチ２０とリードスイッチ用磁石２４とを有し、リードスイッチ２０は冷蔵庫本体を各貯蔵室に仕切る為の仕切り体２１の内部に埋設され、かつリードスイッチ用磁石２４を製氷室扉１６の構成要素である内板２６に設置したことにより、利用者の目に留まり難い非外観面への設置となるため、従来の様な利用者の目に留まり易い扉のキャップに設けられた凸形状内部への設置の場合とは異なり、前記凸形状が無くなる分見た目のスッキリ感も向上し冷蔵庫の意匠性をより高めることができる。【選択図】図３
2008101804.tif 000002
【特許請求の範囲】
【請求項１】
複数の貯蔵室を有する冷凍冷蔵庫本体と前記冷凍冷蔵庫本体の開口面を覆う開閉自在な扉と前記扉の開閉を検知するためのリードスイッチと磁石を有し、前記リードスイッチは冷凍冷蔵庫本体を各貯蔵室に仕切る為の仕切り体の内部に埋設され、かつ磁石は外板及び内板とこれらの側縁を連絡するキャップとの間に形成された空間内に発泡断熱材を充填してなる前記扉の内板に設置されたことを特徴とする冷蔵庫。
【請求項２】
前記内板は、貯蔵室開口部近傍での冷気の対流を抑制するための凸部を有し、前記磁石は前記凸部に設置されたことを特徴とする請求項１に記載の冷蔵庫。
【請求項３】
前記磁石は、発泡断熱材の充填空間となる前記凸部の内部に設置されたこと特徴とする請求項２に記載の冷蔵庫。
【請求項４】
前記内板には、前記磁石の取り付け目印となる形状が一体で形成されていることを特徴とする請求項３に記載の冷蔵庫。
【請求項５】
前記リードスイッチを前記仕切り体に埋設する為の開口部は、貯蔵室外にあることを特徴とする請求項１から４のいずれか一項に記載の冷蔵庫。
【発明の詳細な説明】
【技術分野】
【０００１】
本発明は、扉の開閉を検知する為の装置を備えた冷蔵庫に関するものである。
【背景技術】
【０００２】
近年、冷蔵庫をはじめとする家電製品は多様化の時代を迎え、その基本性能だけでなく製品のデザイン性を向上させる事がこれまで以上に求められる様になった。
【０００３】
従来、この種の冷蔵庫の扉開閉リードスイッチにはリードスイッチが用いられ、リードスイッチは冷蔵庫本体へ、検知用の磁石は冷蔵庫扉の上面もしくは下面へ凸部を設け設置されている（例えば、特許文献１参照）。
【０００４】
図４、図５は、特許文献１に記載された従来の冷蔵庫の概略斜視図及びリードスイッチ部の概略断面図を示すものである。図４、図５に示すように、冷蔵庫本体１は、冷蔵室扉２と、上部冷凍室扉３と，下部冷凍室扉４と，野菜室扉５とを有し、扉開閉検知用のリードスイッチ６は冷蔵庫本体の前縁部に設けられ、リードスイッチ用の磁石７は、外板８及び内板９とこれらの側縁を連絡するキャップ１０との間に形成された空間内に発泡性を有する断熱材１１を充填してなる上部冷凍室扉３のキャップ１０に形成された凸部１２の内側に設置されている。同様に、冷蔵室扉２下部に設けられた凸部１３の内側にも磁石７が設置されている。
【特許文献１】特許第３５４６３４５号公報
【発明の開示】
【発明が解決しようとする課題】
【０００５】
しかしながら、上記従来の構成では、キャップ１０に形成された凸部１２が上部冷凍室扉３の意匠性を阻害する要因となるなど、凸部１２の廃止が冷蔵庫の意匠性をさらに高めるための課題となっていた。
【０００６】
本発明は、上記従来の課題を解決するもので、上部冷凍室扉３を上部より見た際のスッキリ感を向上させ、冷蔵庫の意匠性をさらに高めた冷蔵庫を提供することを目的とする。
【課題を解決するための手段】
【０００７】
上記従来の課題を解決するために、本発明の冷蔵庫は、複数の貯蔵室を有する冷凍冷蔵庫本体と前記冷凍冷蔵庫本体の開口面を覆う開閉自在な扉と前記扉の開閉を検知するためのリードスイッチと磁石を有し、前記リードスイッチは冷凍冷蔵庫本体を各貯蔵室に仕切る為の仕切り体の内部に埋設され、かつ磁石は外板及び内板とこれらの側縁を連絡するキャップとの間に形成された空間内に発泡断熱材を充填してなる前記扉の内板に設置したものである。
【０００８】
これによって、扉開閉検知用の磁石の取付け位置を、利用者の目に留まる外観面から利用者の目に留まり難い非外観面へ移動させることができる。
【発明の効果】
【０００９】
本発明の冷蔵庫は、扉開閉検知用の磁石の取付け位置を、利用者の目に留まる外観面から利用者の目に留まり難い非外観面へ移動させることで、意匠性の向上した冷蔵庫を提供することができる。
【発明を実施するための最良の形態】
【００１０】
請求項１に記載の発明は、複数の貯蔵室を有する冷凍冷蔵庫本体と前記冷凍冷蔵庫本体の開口面を覆う開閉自在な扉と前記扉の開閉を検知するためのリードスイッチと磁石を有し、前記リードスイッチは冷凍冷蔵庫本体を各貯蔵室に仕切る為の仕切り体の内部に埋設され、かつ磁石は外板及び内板とこれらの側縁を連絡するキャップとの間に形成された空間内に発泡断熱材を充填してなる前記扉の内板に設置することにより、扉開閉検知用の磁石の取付け位置を、利用者の目に留まる外観面から利用者の目に留まり難い非外観面へ移動させることで、意匠性の向上を図ることができる。
【００１１】
請求項２に記載の発明は、請求項１に記載の発明において、前記内板は、貯蔵室開口部近傍での冷気の対流を抑制するための凸部を有し、前記磁石は前記凸部に設置されたことにより、意匠性だけでなく省エネ性も高めた冷蔵庫を提供することができる。
【００１２】
請求項３に記載の発明は、請求項２に記載の発明において、前記磁石は、発泡断熱材の充填空間となる前記凸部の内部に設置されたことにより、冷蔵庫の使用による前記磁石の脱落の可能性が低くなる為、前記磁石の固定方法を簡素化することができ、製造コストの低減を図ることができる。
【００１３】
請求項４に記載の発明は、請求項３に記載の発明において、前記内板には、前記磁石の取り付け目印となる形状が一体で形成されていることにより、組立て作業者が容易に所定の場所へ前記磁石を取り付けることができるため、製造工数ならびに製造コストの低減を図ることができる。
【００１４】
請求項５に記載の発明は、請求項１から４のいずれか一項に記載の発明において、前記リードスイッチを前記仕切り体に埋設する為の開口部は、貯蔵室外にあることにより、開口部内の結露などを防止するためのシール材などを使うことなく組立てることができるため、製造工数ならびに製造コストの低減を図ることができる。
【００１５】
以下、本発明による冷蔵庫の実施の形態について、図面を参照しながら説明する。なお、この実施の形態によってこの発明が限定されるものではない。
【００１６】
（実施の形態１）
図１は本発明の実施の形態１における冷蔵庫の冷蔵室扉の開放状態を示す斜視図、図２は図１における製氷室扉付近の拡大斜視図、図３は同冷蔵庫の製氷室扉と冷蔵室扉の要部を示す断面図である。
【００１７】
図１、図２、図３において、冷蔵庫本体１４は、冷蔵室扉１５と製氷室扉１６と切替室扉１７と野菜室扉１８と冷凍室扉１９とを有し、扉開閉検知用のリードスイッチ２０は冷蔵庫本体１４を冷蔵室１５ａと製氷室１６ａに仕切る為の仕切り体２１の内部に埋設され、リードスイッチ２０の収納部の開口部２０ａは冷蔵庫本体１４の前縁部２２に設けられ、開口部２０ａはケース２３によって覆われている。リードスイッチ用磁石２４は、外板２５及び内板２６とこれらの側縁を連絡する上キャップ２７と下キャップ（図示せず）の間に形成された空間内に発泡断熱材２８を充填してなる製氷室扉１６の内板２６の発泡断熱材２８と接する面に設置され、特に内板２６の製氷室開口部近傍での冷気の対流を抑制するための凸部２６ａに設けられた取り付け用目印形状２９に接する様、例えば両面テープで内板２６に固定されている。同様に、冷蔵室扉１５の内板３０の凸部３０ａにも取り付け用目印形状３１に接する様リードスイッチ用磁石２４が固定されている。
【００１８】
このように、リードスイッチ用磁石２４は製氷室扉１６の内板２６や冷蔵室扉１５の内板３０の内側という利用者の目に留まり難い非外観面への設置となるため、従来の様な利用者の目に留まり易い扉のキャップに設けられた凸形状内部への設置の場合とは異なり、前記凸形状が無くなる分、見た目のスッキリ感も向上し、冷蔵庫の意匠性をより高めることができる。
【００１９】
また、リードスイッチ用磁石２４は貯蔵室開口部近傍での冷気の対流を抑制するための内板の凸部２６ａ、３０ａ内に設置されていることから、冷蔵庫の意匠性だけでなく省エネ性も高めることができる。
【００２０】
また、内板の凸部２６ａ、３０ａには、リードスイッチ用磁石２４の取り付け目印となる形状が一体で形成されているため、目印が無い場合と比べ、組立て作業者が容易に所定の場所へ前記磁石を取り付けることができる様になり、冷蔵庫の製造工数ならびに製造コストの低減を図ることができる。
【００２１】
また、リードスイッチ２０の収納部の開口部は冷蔵庫本体１４の前縁部２２という貯蔵室外に設けられているため、開口部内の結露などを防止するためのシール材などを使うことなく冷蔵庫を組立てることができるため、冷蔵庫の製造工数ならびに製造コストの低減を図ることができる。
【００２２】
なお、外板２５を深絞りすることでキャップ２７を廃止したようなキャップレスドアの場合でも、磁石２４は内板２６に設置することができるため、外板上に磁石２４の取付け形状を付加する必要がなく、より意匠性の向上した冷蔵庫を提供することもできる。
【産業上の利用可能性】
【００２３】
以上のように、本発明にかかる冷蔵庫は、扉開閉検知用の磁石の取付け位置を、利用者の目に留まる外観面から利用者の目に留まり難い非外観面へ移動させることで、より意匠性の向上したデザインを実現することができるため、同様のレイアウトを有する他の冷却機器にも適用できる。
【図面の簡単な説明】
【００２４】
【図１】本発明の実施の形態１における冷蔵庫の冷蔵室扉の開放状態を示す斜視図
【図２】図１における製氷室扉付近の拡大斜視図
【図３】同実施の形態における製氷室扉と冷蔵室扉の要部断面図
【図４】従来の冷蔵庫の概略斜視図
【図５】従来の冷蔵庫のリードスイッチ部の概略断面図
【符号の説明】
【００２５】
１４  冷蔵庫本体
１６  製氷室扉
２０  リードスイッチ
２０ａ  開口部
２１  仕切り体
２４  リードスイッチ用磁石
２５  外板
２６  内板
２６ａ  凸部
２７  キャップ
２８  発泡断熱材
３０ａ  凸部
３１  目印形状
【図１】
2008101804.tif 000003
【図２】
2008101804.tif 000004
【図３】
2008101804.tif 000005
【図４】
2008101804.tif 000006
【図５】
2008101804.tif 000007